(57)【要約】【課題】壁面冷却を行っている場合でも冷蔵冷却器を冷却することができ、逆に、冷蔵冷却器からの冷気によって冷蔵室内部を冷却している場合であっても壁面冷却器を冷却することができると共に、その両者の調整を容易に行うことができる冷蔵庫を提供する。【解決手段】冷凍サイクル３４の構成を、圧縮機２８、凝縮器３６の順番に接続し、その後配管を分岐させ、一方に第１ＰＭＶ３８を接続して壁面冷却器３２を接続し、他方の分岐路に第２ＰＭＶ４０と冷蔵冷却器２２を接続し、その後冷媒を圧縮機２８に戻すような構成となし、第１ＰＭＶ３８と第２ＰＭＶ４０の絞り量をそれぞれ調整することにより、壁面冷却モードと送風冷却モードとを実現するものである。【選択図】　　　　図１
2004125233.tif 000002
【特許請求の範囲】
【請求項１】
圧縮機と、
凝縮器と、
冷蔵室の壁面内部に設けられ、前記壁面を冷却する壁面冷却器と、
冷蔵送風機によって前記冷蔵室内部へ送風する空気を冷却する冷蔵冷却器と、
を有した冷蔵庫において、
前記圧縮機、前記凝縮器を経た冷媒流路を二つに分岐し、前記分岐した一方の分岐路に第１絞り手段を介して前記壁面冷却器を接続し、前記分岐した他方の分岐路に第２絞り手段を介して前記冷蔵冷却器を接続し、
前記第１絞り手段の絞り量と前記第２絞り手段の絞り量を調整して、前記冷蔵室の庫内温度より低い温度の冷気を前記冷蔵送風機で送風する送風冷却モードと、前記冷蔵室の庫内温度より低い温度に壁面を冷却する壁面冷却モードとに切り替える制御手段を有する
ことを特徴とする冷蔵庫。
【請求項２】
冷凍送風機によって冷凍室内部へ送風する空気を冷却する冷凍冷却器を有し、
前記壁面冷却器の出口側配管と前記冷蔵冷却器の出口側配管を、第３絞り手段を介して前記冷凍冷却器の入口側に接続する
ことを特徴とする請求項１記載の冷蔵庫。
【請求項３】
圧縮機と、
凝縮器と、
冷蔵室の壁面内部に設け、前記壁面を冷却する壁面冷却器と、
冷蔵送風機によって前記冷蔵室内部へ送風する空気を冷却する冷蔵冷却器と、
を有した冷蔵庫において、
前記圧縮機、前記凝縮器、第１絞り手段の順番に接続し、
前記壁面冷却器と前記冷蔵冷却器を第２絞り手段を介して直列に接続し、
前記第１絞り手段からの冷媒を前記壁面冷却器、前記第２絞り手段、前記冷蔵冷却器の順番に流した後に前記前記圧縮機に流して前記冷蔵室の庫内温度より低い温度の冷気を前記冷蔵送風機で送風する送風冷却モードと、前記冷媒を前記冷蔵冷却器、前記第２絞り手段、前記壁面冷却器の順番に流した後に前記圧縮機に流して前記冷蔵室の庫内温度より低く壁面を冷却する壁面冷却モードとに切り替える切り替え手段を有する
ことを特徴とする冷蔵庫。
【請求項４】
圧縮機と、
凝縮器と、
冷蔵室の壁面内部に設け、前記壁面を冷却する壁面冷却器と、
冷蔵送風機によって前記冷蔵室内部へ送風する空気を冷却する冷蔵冷却器と、
冷凍送風機によって冷凍室内部へ送風する空気を冷却する冷凍冷却器と、
を有した冷蔵庫において、
前記圧縮機、前記凝縮器、第１絞り手段の順番に接続し、
前記壁面冷却器と前記冷蔵冷却器を第２絞り手段を介して直列に接続し、
前記第１絞り手段からの冷媒を前記壁面冷却器、前記第２絞り手段、前記冷蔵冷却器の順番に流した後に第３絞り手段、前記冷凍冷却器、前記圧縮機に流して前記冷蔵室の庫内温度より低い温度の冷気を前記冷蔵送風機で送風する送風冷却モードと、前記冷媒を前記冷蔵冷却器、前記第２絞り手段、前記壁面冷却器の順番に流した後に前記第３絞り手段、前記冷凍冷却器、前記前記圧縮機に流して前記冷蔵室の庫内温度より低く壁面を冷却する壁面冷却モードとに切り替える切り替え手段を有する
ことを特徴とする冷蔵庫。
【発明の詳細な説明】
【０００１】
【発明の属する技術分野】
本発明は、冷蔵室の壁面冷却を行う壁面冷却器と、冷蔵送風機によって冷蔵室内部へ送風する空気を冷却する冷蔵冷却器とを有する冷蔵庫に関するものである。
【０００２】
【従来の技術】
従来より、壁面冷却器と冷蔵冷却器とを有する冷蔵庫は種々提案され、その一つとして、壁面冷却器と冷蔵冷却器とを並列に接続し、圧縮機、凝縮器を経た冷媒を二つに分岐させて、分岐した冷媒をそれぞれ絞り手段を介して壁面冷却器と冷蔵冷却器とに送る冷凍サイクルを有し、冷蔵庫の扉を開放して冷蔵室の熱的負荷が増大すると、冷蔵冷却器によって冷却された冷気を冷蔵室内に循環させて冷蔵室を迅速に冷却し、一方、扉が閉じられている場合などにおいては壁面冷却器において冷蔵室内部を冷却するものが提案されている（特許文献１）。
【０００３】
【特許文献１】
特開２００１−９１１２３
【０００４】
【発明が解決しようとする課題】
上記のような壁面冷却器と冷蔵冷却器と並列に接続した冷凍サイクルにおいては、特許文献１の図２に示されるように、壁面冷却器に冷媒が流れている場合には冷蔵冷却器は冷却されず、逆に冷蔵冷却器が冷却されている場合には壁面冷却器が冷却されないという問題点がある。
【０００５】
また、特許文献１の図８、図１０に示されるように、壁面冷却器や冷蔵冷却器に送られる冷媒の量を開度調整可能な絞り手段によって調整する場合には、その絞り量をマイクロコンピュータによって計算する必要があり、その調整が非常に難しいという問題点がある。
【０００６】
そこで、本発明は上記問題点に鑑み、壁面冷却を行っている場合でも冷蔵冷却器を冷却することができ、逆に、冷蔵冷却器からの冷気によって冷蔵室内部を冷却している場合であっても壁面冷却器を冷却することができると共に、その両者の調整を容易に行うことができる冷蔵庫を提供するものである。
【０００７】
【課題を解決するための手段】
請求項１の発明は、圧縮機と、凝縮器と、冷蔵室の壁面内部に設けられ、前記壁面を冷却する壁面冷却器と、冷蔵送風機によって前記冷蔵室内部へ送風する空気を冷却する冷蔵冷却器と、を有した冷蔵庫において、前記圧縮機、前記凝縮器を経た冷媒流路を二つに分岐し、前記分岐した一方の分岐路に第１絞り手段を介して前記壁面冷却器を接続し、前記分岐した他方の分岐路に第２絞り手段を介して前記冷蔵冷却器を接続し、前記第１絞り手段の絞り量と前記第２絞り手段の絞り量を調整して、前記冷蔵室の庫内温度より低い温度の冷気を前記冷蔵送風機で送風する送風冷却モードと、前記冷蔵室の庫内温度より低い温度に壁面を冷却する壁面冷却モードとに切り替える制御手段を有することを特徴とする冷蔵庫である。
【０００８】
請求項２の発明は、冷凍送風機によって冷凍室内部へ送風する空気を冷却する冷凍冷却器を有し、前記壁面冷却器の出口側配管と前記冷蔵冷却器の出口側配管を、第３絞り手段を介して前記冷凍冷却器の入口側に接続することを特徴とする請求項１記載の冷蔵庫である。
【０００９】
請求項３の発明は、圧縮機と、凝縮器と、冷蔵室の壁面内部に設け、前記壁面を冷却する壁面冷却器と、冷蔵送風機によって前記冷蔵室内部へ送風する空気を冷却する冷蔵冷却器と、を有した冷蔵庫において、前記圧縮機、前記凝縮器、第１絞り手段の順番に接続し、前記壁面冷却器と前記冷蔵冷却器を第２絞り手段を介して直列に接続し、前記第１絞り手段からの冷媒を前記壁面冷却器、前記第２絞り手段、前記冷蔵冷却器の順番に流した後に前記前記圧縮機に流して前記冷蔵室の庫内温度より低い温度の冷気を前記冷蔵送風機で送風する送風冷却モードと、前記冷媒を前記冷蔵冷却器、前記第２絞り手段、前記壁面冷却器の順番に流した後に前記圧縮機に流して前記冷蔵室の庫内温度より低く壁面を冷却する壁面冷却モードとに切り替える切り替え手段を有することを特徴とする冷蔵庫である。
【００１０】
請求項４の発明は、圧縮機と、凝縮器と、冷蔵室の壁面内部に設け、前記壁面を冷却する壁面冷却器と、冷蔵送風機によって前記冷蔵室内部へ送風する空気を冷却する冷蔵冷却器と、冷凍送風機によって冷凍室内部へ送風する空気を冷却する冷凍冷却器と、を有した冷蔵庫において、前記圧縮機、前記凝縮器、第１絞り手段の順番に接続し、前記壁面冷却器と前記冷蔵冷却器を第２絞り手段を介して直列に接続し、前記第１絞り手段からの冷媒を前記壁面冷却器、前記第２絞り手段、前記冷蔵冷却器の順番に流した後に第３絞り手段、前記冷凍冷却器、前記圧縮機に流して前記冷蔵室の庫内温度より低い温度の冷気を前記冷蔵送風機で送風する送風冷却モードと、前記冷媒を前記冷蔵冷却器、前記第２絞り手段、前記壁面冷却器の順番に流した後に前記第３絞り手段、前記冷凍冷却器、前記前記圧縮機に流して前記冷蔵室の庫内温度より低く壁面を冷却する壁面冷却モードとに切り替える切り替え手段を有することを特徴とする冷蔵庫である。
【００１１】
請求項１の冷蔵庫においては、冷蔵冷却器によって冷却された冷気を冷蔵送風機で送風する送風冷却モードを行う場合には、圧縮機、凝縮器、第１絞り手段を流れてきた冷媒を、壁面冷却器、第２絞り手段、冷蔵冷却器の順番に流して圧縮機に戻すことにより、冷蔵冷却器を目的の温度まで冷却することができ、送風冷却モードを行うことができる。また、冷蔵室の庫内温度より低く壁面冷却器によって壁面を冷却する壁面冷却モードを行う場合には、圧縮機、凝縮器、第１絞り手段を流れてきた冷媒を、冷蔵冷却器、第２絞り手段、壁面冷却器の順番に流して圧縮機に戻すことにより、壁面冷却器を十分に冷却することができる。
【００１２】
請求項２の冷蔵庫であると、第３絞り手段を経た冷媒が冷凍冷却器にも流れることにより、この冷凍冷却器によって冷却された冷気を冷凍送風機によって冷凍室内部へ送ることにより、冷凍室内部も冷却することができる。
【００１３】
また、本発明の冷蔵庫であると、制御手段が第１絞り手段の絞り量と第２絞り手段の絞り量を調整して、冷蔵室の庫内温度より低い温度の冷気を冷蔵送風機で送風する送風冷却モードと、冷蔵室の庫内温度より低く壁面を冷却する壁面冷却モードとに切り替える。
【００１４】
さらに、本発明は、第３絞り手段を介して冷凍冷却器に冷媒を流すことにより、冷凍送風機によってこの冷却された冷気が冷凍室に送られる。
【００１５】
【発明の実施の形態】
（第１の実施例）
以下、本発明の第１の実施例の冷蔵庫１０について図１から図３に基づいて説明する。
【００１６】
（１）冷蔵庫１０の構造
冷蔵庫１０の構造について、図２の側面から見た縦断面図と、図３の正面から見た縦断面図に基づいて説明する。
【００１７】
冷蔵庫１０のキャビネット１２は内箱１４と外箱１６とを組み合わせ、両者の間の空間にウレタンよりなる断熱部材を充填発泡させて構成されている。
【００１８】
キャビネット１２内部には、冷蔵室１８が設けられ、この冷蔵室１８の後方には背面板２０を介して、冷蔵冷却器２２が配されている。この冷蔵冷却器２２の上方には、冷気を冷蔵室１８内部に送風する冷蔵送風機２４が配されている。
【００１９】
キャビネット１２の背面底部には、機械室２６が設けられ、圧縮機２８が配されている。
【００２０】
キャビネット１２の開口した前面には、開閉自在な扉３０が設けられている。
【００２１】
キャビネット１２の天井面、右側面、左側面には、パイプを蛇行状に折曲して構成される壁面冷却器３２が埋設されている。即ち、この壁面冷却器３２は、内箱１４と外箱１６との間の断熱材の中に埋設されている。
【００２２】
キャビネット１２の上部背面にはマイクロコンピュータよりなる制御部４６が設けられている。この制御部４６によって圧縮機２８のモータの駆動回路であるインバータ回路の駆動周波数が調整されて、能力が可変される。
【００２３】
扉３０の上部には、ユーザが操作するための操作パネル４８が設けられている。
【００２４】
（２）冷凍サイクル３４の構造
冷蔵庫１０の冷凍サイクル３４の構造について図１に基づいて説明する。
【００２５】
圧縮機２８のイソブタンである冷媒の高圧側吐出口には凝縮器３６が接続され、凝縮器３６の出口側配管は２つに分岐し、一方の分岐路には、開度調整可能な絞り弁である第１ＰＭＶ３８が接続され、他方の分岐路には第２ＰＭＶ４０が接続されている。この第１ＰＭＶ３８と第２ＰＭＶ４０は、パルスモータを駆動源とするニードル弁からなる絞り弁を動かすことにより、絞り量を調整することができる。
【００２６】
第１ＰＭＶ３８には、上記で説明した壁面冷却器３２と逆止弁４２が接続され、逆止弁４２が圧縮機２８の低圧側の吸引口に接続されている。一方、第２ＰＭＶ４０には、上記で説明した冷蔵冷却器２２と逆止弁４４が接続され、圧縮機２８の低圧側吸込口に接続されている。
【００２７】
また、第１ＰＭＶ３８と第２ＰＭＶ４０の絞り量の調整は、制御部４６で行う。
【００２８】
（３）冷却方法
上記構成の冷凍サイクル３４を用いて、冷蔵室１８を冷却する制御方法について説明する。
【００２９】
この制御方法には、送風冷却モードと、壁面冷却モードとがある。
【００３０】
（３−１）送風冷却モード
送風冷却モードにおいては、冷蔵室１８の壁面に露が付かないようにするか、また殆ど付かないようにするために、壁面冷却器３２で冷却される壁面の温度を、庫内温度よりやや高くするように第１ＰＭＶ３８の絞り量を調整する。また、冷蔵冷却器２２における冷却温度は、冷蔵室１８内部を冷却する必要があるため、目標とする冷蔵室１８の庫内温度より２℃から３℃低くするように第２ＰＭＶ４０の絞り量を調整する。そして、この冷蔵冷却器２２によって冷却した冷気を冷蔵送風機２４によって冷蔵室１８内部に送り、冷蔵室１８内部を冷却する。
【００３１】
この送風冷却モードを行うのは、冷蔵室１８内部に熱い食品を収納したり、扉３０の開閉を多い場合の冷却が好適である。
【００３２】
（３−２）壁面冷却モード
次に、壁面冷却モードにおいては、壁面温度を冷蔵室１８の庫内温度より２℃から３℃低くなるように、第１ＰＭＶ３８の絞り量を調整する。また、冷蔵冷却器２２の冷却温度は、壁面温度と略同じになるように第２ＰＭＶ４０によって調整すると共に、冷蔵送風機２４の回転数を通常の回転数（送風冷却モードの回転数）よりも低い回転数で回転させる。
【００３３】
この壁面冷却モードを行のは、夜間や扉の開閉数が少ない場合の冷却が好適である。
【００３４】
（３−３）両モードの切り替え
壁面冷却モードと送風冷却モードの切り替えは、次のタイミングで行う。
【００３５】
第１は、ユーザが手動によって行う場合である。
【００３６】
第２は、冷蔵庫１０の制御部４６にタイマーを内蔵し、所定の時間（例えば、午後１１時から午前６時）の間は壁面冷却モードになし、その他の時間は送風冷却モードにするようにする。
【００３７】
第３は、扉の開閉数を検知し、その開閉数が所定回数以上になれば壁面冷却モードから送風冷却モードに切り替える。
【００３８】
上記構成の冷蔵庫１０であると、壁面冷却モードにおいては壁面からの冷却によって食品を冷却するため、食品からの水分が奪われることなく高鮮度で保存することができる。
【００３９】
また、送風冷却モードにおいては、食品を確実に冷却することができると共に、壁面内部では壁面冷却器３２によって壁面がある程度冷却されているため、外部からの熱に対し確実に遮断することができ、冷蔵室１８内部を確実に冷却することができる。そして、この送風冷却モードにおいては、壁面温度が庫内温度よりも高く設定されているため、露が付いたりすることがない。
【００４０】
（第２の実施例）
次に、図４に基づいて第２の実施例の冷蔵庫１０について説明する。
【００４１】
本実施例と第１の実施例の異なる点は、冷凍サイクル３４の構造にある。
【００４２】
本実施例の冷凍サイクル３４の構造について図４に基づいて説明する。
【００４３】
圧縮機２８の高圧側吐出口には凝縮器３６が接続され、凝縮器３６には第１の絞り手段である第１キャピラリチューブ５０が接続され、第１キャピラリチューブ５０の出口側配管は２つに分岐している。この分岐した一方の分岐路には、第１の三方弁５２が接続され、他方の分岐路には第２の三方弁５４が接続されている。
【００４４】
第１の三方弁５２の一方の出口には、壁面冷却器３２が接続され、他方の出口は圧縮機２８の低圧側吸込口に接続されている。
【００４５】
第２の三方弁５４の一方の出口には冷蔵冷却器２２が接続され、他方の出口は圧縮機２８の低圧側吸込口に接続されている。
【００４６】
壁面冷却器３２と冷蔵冷却器２２とは第２の絞り手段である第２キャピラリチューブ５６を介して接続されている。
【００４７】
この第２の実施例の冷凍サイクル３４を用いても、上記で説明した壁面冷却モードと送風冷却モードを実現することができるので、以下図４を用いて説明する。
【００４８】
（１）壁面冷却モード
壁面冷却モードにおける冷媒の流れを、図４においては点線の矢印で示している。
【００４９】
第１の三方弁５２は、第１キャピラリチューブ５０と壁面冷却器３２との間の流路を遮断し、壁面冷却器３２からの冷媒を圧縮機２８に流す。また、第２の三方弁５４は、第１キャピラリチューブ５０と圧縮機２８との間の流路を遮断し、第１キャピラリチューブ５０からの冷媒を冷蔵冷却器２２に流す。
【００５０】
上記のように第１の三方弁５２と第２の三方弁５４を制御部４６によって切り替え、圧縮機２８を駆動すると、冷媒は凝縮器３６、第１キャピラリチューブ５０を経てまず冷蔵冷却器２２に流れる。その後、第２キャピラリチューブ５６によって冷媒がさらに絞られ、壁面冷却器３２に流れ、圧縮機２８に戻る。
【００５１】
このようにすることで、冷蔵冷却器２２に流れる冷媒は第１キャピラリチューブ５０によってのみ絞られ、壁面冷却器３２に流れる冷媒は第１キャピラリチューブ５０と第２キャピラリチューブ５６によって絞られるため、冷蔵冷却器２２の冷却温度より壁面冷却器３２の冷却温度を低くすることができる。
【００５２】
これによって、上記した壁面冷却モードを実現することができる。
【００５３】
（２）送風冷却モード
図４の実線の冷媒の流れに基づいて送風冷却モードについて説明する。
【００５４】
第１の三方弁５２は、第１キャピラリチューブ５０と冷蔵冷却器２２との間の流路を遮断し、第１キャピラリチューブ５０からの冷媒を壁面冷却器３２にのみ流す。一方、第２の三方弁５４は、第１キャピラリチューブ５０と冷蔵冷却器２２との間の流路を遮断し、冷蔵冷却器２２からの冷媒を圧縮機２８に流す。
【００５５】
圧縮機２８から送り出された冷媒は凝縮器３６を経て第１キャピラリチューブ５０に至り、第１の三方弁５２を経て壁面冷却器３２に至り、その後に第２キャピラリチューブ５６を経て冷蔵冷却器２２に至り圧縮機２８に戻る。
【００５６】
これによって、壁面冷却器３２には第１キャピラリチューブ５０によって絞られた冷媒が流れ、冷蔵冷却器２２には第１キャピラリチューブ５０と第２キャピラリチューブ５６によって絞られた冷媒が流れるため、壁面冷却器３２の冷却温度よりも冷蔵冷却器２２の冷却温度を低くすることができる。
【００５７】
これによって、上記した送風冷却モードを実現することができる。
【００５８】
また、壁面冷却モードと送風冷却モードを切り替える場合に、特許文献１に示すような冷媒の流量調整を細かく行う必要が無く、単に２つの三方弁を切り替えるだけで行うことができる。
【００５９】
（第３の実施例）
第３の実施例の冷蔵庫１０について説明する。
【００６０】
本実施例と第１の実施例の異なる点は冷凍サイクル３４にある。
【００６１】
本実施例の冷凍サイクル３４について、図５に基づいて説明する。
【００６２】
本実施例の冷凍サイクル３４では、圧縮機２８、凝縮器３６、第１キャピラリチューブ５０を順番に接続し、第１キャピラリチューブ５０の出口側に四方弁５８の第１の口（図５では、丸数字の１で表す。以下、他の口も同様である。）を接続したものである。
【００６３】
この四方弁５８の第２の口には冷蔵冷却器２２が接続され、冷蔵冷却器２２には第２キャピラリチューブ５６が接続され、第２キャピラリチューブ５６には壁面冷却器３２が接続されている。この壁面冷却器３２の出口側配管は四方弁５８の第３の口に接続されている。
【００６４】
四方弁５８の第４の口には圧縮機２８が接続されている。
【００６５】
この四方弁５８を用いて、上記で説明した壁面冷却モードと送風冷却モードとを実現することができる。
【００６６】
（１）壁面冷却モード
壁面冷却モードについて、図５の点線に基づいて説明する。
【００６７】
制御部４６は、四方弁５８の各出口の接続状況としては、第１の口と第２の口とを接続させ、第３の口と第４の口とを接続させる。
【００６８】
これによって、圧縮機２８、凝縮器３６、第１キャピラリチューブ５０を流れてきた冷媒が、四方弁５８の第１の口から第２の口に流れて、その後に冷蔵冷却器２２、第２キャピラリチューブ５６、壁面冷却器３２、圧縮機２８の順番に流れる。
【００６９】
従って、第２の実施例で説明したのと同様に、壁面冷却器３２の冷却温度が冷蔵冷却器２２の冷却温度よりも低くなるので、壁面冷却モードを実現することができる。
【００７０】
（２）送風冷却モード
次に、図５の実線の矢印に基づいて送風冷却モードについて説明する。
【００７１】
制御部４６が四方弁５８の接続状況を切り替えて、第１の口と第３の口を接続し、第２の口と第４の口を接続する。
【００７２】
これによって、圧縮機２８、凝縮器３６、第１キャピラリチューブ５０を流れた冷媒が、その後に壁面冷却器３２、第２キャピラリチューブ５６、冷蔵冷却器２２に流れ、圧縮機２８に再び流れる。
【００７３】
従って、第２の実施例で説明したように、冷蔵冷却器２２の冷却温度が壁面冷却器３２の冷却温度よりも低くなり、送風冷却モードを実現できる。
【００７４】
また、壁面冷却モードと送風冷却モードを切り替える場合に、特許文献１に示すような冷媒の流量調整を細かく行う必要が無く、単に四方弁５８を切り替えるだけで行うことができる。
【００７５】
（第４の実施例）
第４の実施例の冷蔵庫１０について、図６及び図７に基づいて説明する。
【００７６】
（１）冷蔵庫１０の構造
第４の実施例の冷蔵庫１００の構造について、図６の縦断面図に基づいて説明する。
【００７７】
冷蔵庫１００のキャビネット１１２には、上段から冷蔵室１１４、野菜室１１６、製氷室１１８、冷凍室１２０が設けられている。また、冷蔵室１１４の底部にはチルド室１２２が設けられ、冷凍室１２０の上部には小型の冷凍ケース１２４が設けられている。キャビネット１１２の背面底部には機械室１３４が設けられ、圧縮機１３６が配されている。
【００７８】
冷蔵室１１４と野菜室１１６とで冷蔵空間が構成され、この冷蔵空間は野菜室１１６の背面に設けられている冷蔵冷却器２２によって冷却される。冷蔵冷却器２２の上方には冷蔵送風機２４が設けられている。
【００７９】
製氷室１１８と冷凍室１２０とで冷凍空間が構成され、この冷凍空間は、製氷室１１８の後方に配された冷凍冷却器１３０によって冷却される。冷凍冷却器１３０の冷気は、冷凍冷却器１３０の上方にある冷凍送風機１３２によって冷凍空間に送風される。
【００８０】
キャビネット１１２の天井部背面には制御部４６が設けられている。
【００８１】
冷蔵室１１４の天井面及び両側面には図６においては壁面冷却器３２が埋設されている。
【００８２】
本実施例の冷蔵庫１００では、冷凍空間を冷却する冷凍モードと、冷蔵空間を冷却する冷蔵モードとを行うことができ、この冷蔵モードにおいて上記で説明した壁面冷却モードと送風冷却モードを行うことができる。
【００８３】
（２）冷蔵モードと冷凍サイクル１３４の構造
まず、図７の冷凍サイクル１３４の構造を説明しつつ冷蔵モードについて説明する。
【００８４】
圧縮機１３６は、二段圧縮を行うことができる圧縮機である。この圧縮機の高圧側吐出口から吐出された高圧ガス冷媒は、凝縮器３６内部で凝縮され、ガス冷媒と液冷媒よりなる高圧の二相冷媒となる。
【００８５】
この高圧二相冷媒は、第１キャピラリチューブ５０で減圧され、三方弁１４６を経て中間圧の二相冷媒となって、四方弁５８の第１の口に流れる。四方弁５８には、第３の実施例で説明したように、第２の口と第３の口との間に壁面冷却器３２、第２キャピラリチューブ５６、冷蔵冷却器２２が直列に接続されている。従って、四方弁５８を切り替えることにより、第３の実施例で説明したのと同様に壁面冷却モードと送風冷却モードを冷蔵室１１４に対し行うことができる。
【００８６】
四方弁５８の第４の口を出た冷媒は一部蒸発し、二相状態で気液分離器１４０に入り、液冷媒とガス冷媒に分離される。
【００８７】
気液分離器１４０で分離されたガス冷媒は中間圧サクションパイプ１４２を経て圧縮機１３６の中間圧側吸込口に戻る。
【００８８】
気液分離器１４０で分離された液冷媒は、第３キャピラリチューブ１４４で減圧され、低圧の二相冷媒となって冷凍冷却器１３０に入る。
【００８９】
冷凍冷却器１３０内部で冷媒は蒸発してガス冷媒となって、圧縮機２８の低圧側吸い込み口に戻る。
【００９０】
（３）冷凍モード
冷凍モードについて説明する。
【００９１】
凝縮器３６を出た冷媒は三方弁１４６の切り替えによって、第４キャピラリチューブ１４８を経て冷凍冷却器１３０に直接流れ込む。
【００９２】
これによって、壁面冷却器３２や冷蔵冷却器２２に冷媒が流れることなく冷凍冷却器１３０に冷媒を送ることができるため、冷凍冷却器１３０のみを冷却することができ、冷凍モードを実現することができる。
【００９３】
（変更例）
上記実施例では、冷媒として自然冷媒であるイソブタンを用いたが、これに代えて不燃性冷媒を用いてもよい。
【００９４】
【発明の効果】
以上により本発明の冷蔵庫であると、冷蔵室を冷却する場合に壁面冷却モードと送風冷却モードを実現することができ、壁面冷却モードでは高湿で食品を保存することができ、送風冷却モードでは食品を急速に冷却することができる。
【図面の簡単な説明】
【図１】第１の実施例における冷凍サイクルの構成図である。
【図２】第１の実施例における冷蔵庫の側方から見た縦断面図である。
【図３】同じく前方から見た冷蔵庫の縦断面図である。
【図４】第２の実施例の冷凍サイクルの構成図である。
【図５】第３の実施例の冷凍サイクルの構成図である。
【図６】第４の実施例の冷蔵庫の縦断面図である。
【図７】第４の実施例の冷凍サイクルの構成図である。
【符号の説明】
１０　冷蔵庫
１８　冷蔵室
２２　冷蔵冷却器
２４　冷蔵送風機
２８　圧縮機
３２　壁面冷却器
３４　冷凍サイクル
３６　凝縮器
３８　第１ＰＭＶ
４０　第２ＰＭＶ
４２　逆止弁
４４　逆止弁
４６　制御部
４８　操作パネル
【図１】
2004125233.tif 000003
【図２】
2004125233.tif 000004
【図３】
2004125233.tif 000005
【図４】
2004125233.tif 000006
【図５】
2004125233.tif 000007
【図６】
2004125233.tif 000008
【図７】
2004125233.tif 000009